(57)【特許請求の範囲】
【請求項１】
媒体を送る送りローラーと、
前記送りローラーを備える下部ユニットと、前記下部ユニットに対して回動可能に設けられる上部ユニットと、を備える筐体と、
前記送りローラーの上流側に設けられ、複数の前記媒体が載置される載置面を有し、少なくとも一部が前記筐体外に位置する媒体載置部材と、
前記媒体載置部材において前記筐体外に位置する部位に設けられ、前記媒体の給送方向と交差する方向の両側縁をガイドする一対のエッジガイドと、
前記エッジガイドの少なくとも一方に設けられ、前記媒体載置部材に載置される前記媒体の枚数を規制する枚数規制部材と、を備え、
前記枚数規制部材が、
前記媒体載置部材に載置可能な最大枚数の前記媒体が載置された際に、最上位の前記媒体に接触する接触部と、
前記接触部から前記上部ユニットに向けて、下流側が前記載置面から離れる方向に延設される延設部と、を備える、
ことを特徴とする媒体給送装置。
【請求項２】
請求項１に記載の媒体給送装置において、
前記送りローラーとの間で前記媒体をニップして分離する分離ローラーを備え、
前記延設部は、前記送りローラーと前記分離ローラーのニップ部における接線と交差し、カードサイズ或いは名刺サイズの媒体の長辺方向の先端が前記ニップ部でニップされた際に、該媒体の後端が前記延設部に接触しない位置に設けられる
ことを特徴とする媒体給送装置。
【請求項３】
請求項２に記載の媒体給送装置において、
前記上部ユニットと前記延設部との間の隙間に前記カードサイズ或いは名刺サイズの媒体を挿入した際に、前記送りローラーと前記分離ローラーが該媒体の先端をニップしない、
ことを特徴とする媒体給送装置。
【請求項４】
請求項１から請求項３のいずれか一項に記載の媒体給送装置において、
前記枚数規制部材が、前記接触部の上流側に設けられ、上流側が前記載置面から離れる方向に延設される誘い部を備える、
ことを特徴とする媒体給送装置。
【請求項５】
請求項４に記載の媒体給送装置において、
前記誘い部が変位可能に構成されている、ことを特徴とする媒体給送装置。
【請求項６】
請求項１から請求項５のいずれか一項に記載の媒体給送装置において、
前記接触部及び前記延設部の少なくとも一方に、給送される前記媒体に接触して従動回転可能な補助ローラーを備える、
ことを特徴とする媒体給送装置。
【請求項７】
媒体を読み取る読取部と、
前記媒体を前記読取部に向けて給送する、請求項１から請求項６のいずれか一項に記載の媒体給送装置と、を備える、
ことを特徴とする画像読取装置。
【発明の詳細な説明】
【技術分野】
【０００１】
本発明は、媒体を搬送する媒体給送装置、および媒体給送装置を備える画像読取装置に関する。
【背景技術】
【０００２】
画像読取装置の一例であるスキャナーには、原稿の自動送り装置（ＡＤＦ（Auto
Document Feeder）とも呼ばれる）が媒体給送装置として設けられ、複数枚の原稿の自動送りと読み込みとを行える様に構成される場合がある。  
また、その様な媒体給送装置において、原稿を載置する媒体トレイに設けられ、前記原稿の幅方向の側縁をガイドするエッジガイドが、原稿サイズに応じて前記幅方向にスライド移動可能に構成されているものがある（例えば、特許文献１）。
【０００３】
ところで、前記媒体給送装置による確実な原稿の給送を行うため、前記媒体トレイに載置可能な原稿枚数には上限があるが、特許文献１のような媒体トレイ（供給トレイ）では、前記媒体トレイの上方が開放されているため、該媒体トレイにユーザーが前記上限を超える枚数の原稿をセットできてしまう場合がある。  
前記上限を超える枚数の原稿が前記媒体トレイに載置されると、原稿の給送が行われない、所謂ノンフィードの不具合が生じる虞がある。
【０００４】
この様な不具合を解消するため、前記媒体トレイへの積載枚数を、前記エッジガイドに設けられる上限規制部材によって規制するものがある（例えば、特許文献２）。
【先行技術文献】
【特許文献】
【０００５】
【特許文献１】特許第５８１０７６９号公報
【特許文献２】特開２００１−１０６３６２号公報
【発明の概要】
【発明が解決しようとする課題】
【０００６】
特許文献２の構成では、前記上限規制部材と前記媒体トレイの載置面との間に複数の媒体が差し込まれ、前記上限規制部材が最上位の媒体に接触することにより、前記媒体トレイへの積載枚数が規制されるが、前記上限規制部材と装置の筐体との間に隙間から、すなわち、前記上限規制部材と前記媒体トレイの載置面との間を通らず、当該上限規制部材の上側から媒体が差し込まれる場合がある。  
前記上限規制部材の上から媒体が差し込まれると、給送ローラーのニップ部への進入角度が適切ではなくなり、前記媒体の給送が行われない虞がある。
【０００７】
前記上限規制部材において、前記媒体トレイの載置面と対向して最上位の媒体に接触する接触面を、媒体給送方向下流側に延ばせば、前記上限規制部材と装置の筐体との間の隙間を塞ぐことができるが、前記接触面が長いと前記媒体が給送される際に当該媒体のバックテンションが大きくなり、これによってもノンフィードの不具合が生じる虞がある。
【０００８】
上記問題点に鑑み、本発明の目的は、媒体の適切なセットを促し、ひいては適切な給送が行える給送装置を提供することにある。
【課題を解決するための手段】
【０００９】
上記課題を解決するため、本発明の第１の態様に係る媒体給送装置は、媒体を送る送りローラーと、前記送りローラーを内部に備える筐体と、前記送りローラーの上流側に設けられ、複数の前記媒体が載置される載置面を有し、少なくとも一部が前記筐体外に位置する媒体載置部材と、前記媒体載置部材において前記筐体外に位置する部位に設けられ、前記媒体の給送方向と交差する方向の両側縁をガイドする一対のエッジガイドと、前記エッジガイドの少なくとも一方に設けられ、前記媒体載置部材に載置される前記媒体の枚数を規制する枚数規制部材と、を備え、前記枚数規制部材が、前記媒体載置部材に載置可能な最大枚数の前記媒体が載置された際に、最上位の前記媒体に接触する接触部と、前記接触部から前記筐体に向けて、下流側が前記載置面から離れる方向に延設される延設部と、を備える、ことを特徴とする。
【００１０】
本明細書において、媒体給送装置によって媒体が搬送される方向を下流といい、その反対方向を上流という。  
本態様によれば、前記接触部によって、前記媒体載置部材に所定枚数を超える媒体が積載されることを抑制または回避することができる。  
加えて、前記接触部から前記筐体に向けて延設される前記延設部を備えるので、前記枚数規制部材と前記筐体との間にできる隙間を減らし、前記接触部と前記載置面との間を通さずに、前記枚数規制部材の上側から媒体が差し込まれる虞を低減することができる。その際、前記延設部は、前記下流側が前記載置面から離れる方向に延設されているので、当該媒体と前記延設部との接触の虞を減らし、媒体の搬送負荷（バックテンション）が増大することを抑制することができる。  
以って、前記媒体載置部材への適切な媒体の積載と給送を実現することができる。
【００１１】
本発明の第２の態様に係る媒体給送装置は、第１の態様において、前記送りローラーとの間で前記媒体をニップして分離する分離ローラーを備え、前記延設部は、前記送りローラーと前記分離ローラーのニップ部における接線と交差し、所定の剛性以上の媒体の長辺方向の先端が前記ニップ部でニップされた際に、後端が前記延設部に接触しない構成を有する、ことを特徴とする。
【００１２】
剛性の高い媒体を給送する場合、その先端が前記送りローラーと前記分離ローラーのニップ部にニップされたときに後端側が上方に跳ね上がる場合がある。  
本態様によれば、前記延設部は、前記送りローラーと前記分離ローラーのニップ部における接線と交差し、所定の剛性以上の媒体の長辺方向の先端が前記ニップ部でニップされたときに、後端が前記延設部に接触しないので、前記ニップ部にニップされたときに後端側が上方に跳ね上がるような剛性の高い媒体の給送時に生じ得るバックテンションの増大を回避することができる。
【００１３】
本発明の第３の態様に係る媒体給送装置は、第２の態様において、前記筐体と前記延設部の先端との間の隙間に所定の剛性以上の前記媒体を挿入した際に、前記送りローラーと前記分離ローラーが前記媒体の先端をニップしない、ことを特徴とする。
【００１４】
本態様によれば、所定の剛性以上の前記媒体を、前記筐体と前記延設部の先端との間から挿入した際、すなわち、前記媒体を前記接触部と前記載置面との間を通さずに前記枚数規制部材の上側から差し込んだ場合に、当該媒体の先端が前記送りローラーと前記分離ローラーの前記ニップ部にニップされないので、誤った位置から挿入された前記媒体が給送される虞を回避することができる。
【００１５】
本発明の第４の態様に係る媒体給送装置は、第２の態様または第３の態様において、前記所定の剛性を有する前記媒体は、カード或いは名刺であることを特徴とする。  
本態様によれば、剛性の高いカード或いは名刺を給送する際に、第２の態様または第３の態様の作用効果を得ることができる。
【００１６】
本発明の第５の態様に係る媒体給送装置は、第１の態様から第４の態様のいずれかにおいて、前記枚数規制部材が、前記接触部の上流側に設けられ、前記接触部と前記載置面の間に前記媒体を誘う形状を有する誘い部を備える、ことを特徴とする。
【００１７】
本態様によれば、前記枚数規制部材が前記誘い部を備えるので、前記接触部と前記載置面の間に前記媒体をセットし易くなる。例えば、反りのある媒体であっても、前記接触部と前記載置面の間に容易に差し込むことができる。
【００１８】
本発明の第６の態様に係る媒体給送装置は、第５の態様において、前記誘い部が変位可能に構成されている、ことを特徴とする。
【００１９】
本態様によれば、前記誘い部を、媒体の反りの状態やユーザーの好み等の条件に応じて使い易く変位させることができる。
【００２０】
本発明の第７の態様に係る媒体給送装置は、第１の態様から第６の態様のいずれかにおいて、前記接触部及び前記延設部の少なくとも一方に、給送される前記媒体に接触して従動回転可能な補助ローラーを備える、ことを特徴とする。
【００２１】
本態様によれば、前記接触部または前記延設部において、給送される前記媒体が接触した際のバックテンションを低減することができる。
【００２２】
本発明の第８の態様に係る画像読取装置は、媒体を読み取る読取部と、前記媒体を前記読取部に向けて給送する、第１の態様から第７の態様のいずれかの媒体給送装置と、を備える、ことを特徴とする。
【００２３】
本態様によれば、媒体を読み取る読取部を備えた画像読取装置において、前記媒体を前記読取部に向けて給送する際に、第１の態様から第７の態様のいずれかと同様の作用効果が得られる。
【図面の簡単な説明】
【００２４】
【図１】本発明に係るスキャナーを示す外観斜視図。
【図２】本発明に係るスキャナーにおける給送状態を示す斜視図。
【図３】本発明に係るスキャナーにおける用紙搬送経路を示す側断面図。
【図４】実施例１に係る媒体給送装置を示す側断面図。
【図５】実施例１に係るエッジガイドを示す斜視図。
【図６】実施例１に係るエッジガイドを示す斜視図。
【図７】実施例２に係る媒体給送装置における枚数規制部材を示す概略側面図。
【図８】実施例３に係る媒体給送装置における枚数規制部材を示す概略側面図。
【図９】実施例４に係る媒体給送装置における枚数規制部材を示す概略側面図。
【発明を実施するための形態】
【００２５】
［実施例１］
まず、本発明の一実施例に係る媒体給送装置を備えた画像読取装置の概略について説明する。本実施例では画像読取装置の一例として、媒体の表面及び裏面の少なくとも一面を読み取り可能なドキュメントスキャナー（以下、単にスキャナー１と称する）を例に挙げる。  
図１は、本発明に係るスキャナーを示す外観斜視図である。図２は、本発明に係るスキャナーにおける給送状態を示す斜視図である。図３は、本発明に係るスキャナーにおける用紙搬送経路を示す側断面図である。図４は、実施例１に係る媒体給送装置を示す側断面図である。図５及び図６は、実施例１に係るエッジガイドを示す斜視図である。
【００２６】
＜スキャナーの概要＞
本発明に係る画像読取装置としてのスキャナー１（図１）は、「媒体」としての用紙Ｐを給送する媒体給送装置１０（図４）を備えている。  
スキャナー１は、下部ユニット２及び上部ユニット３によって構成される筐体７と、上部ユニット３の上面及び後述する給送口６（図２）を開閉する開閉体４と、によってその外観が構成されている。  
媒体給送装置１０（図３）は、筐体７と、筐体７の内部に設けられる送りローラー１３と、用紙Ｐを載置する媒体載置部材１１と、媒体載置部材１１に設けられる一対のエッジガイド１２、１２（図２も参照）を備えている。エッジガイド１２、１２には、媒体載置部材１１の載置面１１ａに載置される用紙Ｐの枚数を規制する枚数規制部材１５が設けられている。媒体給送装置１０の各構成部材について、以下に順次説明する。
【００２７】
尚、各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、スキャナー１において、媒体としての用紙Ｐは各図の＋Ｙ方向へ搬送される構成である。以下において、用紙Ｐが搬送されていく方向（＋Ｙ方向側）を「下流」といい、これと反対の方向（−Ｙ方向側）を「上流」という。
【００２８】
上部ユニット３は下部ユニット２に対して用紙搬送方向下流側を回動支点として回動可能に下部ユニット２に取り付けられている。上部ユニット３は、下部ユニット２に対して閉じて下部ユニット２とともに用紙Ｐの用紙搬送経路を構成する閉状態（図２）と、下部ユニット２に対して装置前面側に回動して用紙Ｐの用紙搬送経路を露呈させて用紙Ｐの紙詰まりの処理を容易に行うことができる開状態（図示省略）とを取り得る。
【００２９】
また、上部ユニット３の上部を開閉する開閉体４は、下部ユニット２の背面側の上部に対して回動可能に下部ユニット２に取り付けられており、開状態において、用紙Ｐが載置される媒体載置部材１１として機能する。  
すなわち、媒体載置部材１１としての開閉体４は、図１に示すように上部ユニット３の上部及び給送口６（図２、図３）を覆う非給送状態と、図１の非給送状態から図２に示すように装置背面側に回動し、給送口６を開放するとともに開閉体４の内側面（後述する載置面１１ａ）で給送される用紙Ｐを支持する媒体載置部材１１となる給送状態とを取り得る。
【００３０】
媒体載置部材１１（図２）には、用紙Ｐの幅方向（Ｘ軸方向）の両側縁をガイドする一対のエッジガイド１２、１２が設けられている。エッジガイド１２、１２は、用紙Ｐのサイズに応じてＸ軸方向にスライド移動可能に設けられている。本実施例において、エッジガイド１２、１２は、一方のエッジガイド１２（例えば＋Ｘ側）のＸ移動に追従して、他方のエッジガイド１２（−Ｘ側）が相対する方向に移動するように構成されている。  
すなわち、媒体載置部材１１において、用紙Ｐは幅方向の中央に揃えられ、所謂、センター給紙方式で給紙されるように構成されている。
【００３１】
また、媒体載置部材１１は下部ユニット２に設けられており、媒体載置部材１１の下流側（＋Ｙ側）は筐体７内に位置し、上流側（−Ｙ側）は筐体７外に位置している。そして、エッジガイド１２、１２は、媒体載置部材１１において筐体７外に位置する部位に設けられている。
【００３２】
＜スキャナーにおける用紙搬送経路について＞
次に、図３を参照して、スキャナー１における用紙搬送経路について説明する。尚、図３における点線は用紙Ｐの搬送経路を示している。  
給送口６にセットされる用紙Ｐは、その先端側（下流側）が媒体載置部材１１（開状態の開閉体４）の載置面１１ａに支持されて載置される。
【００３３】
給送口６には、複数枚の用紙Ｐをセットすることができる。符号Ｇは、媒体載置部材１１に載置可能な最大枚数の用紙束である。  
尚、載置される用紙Ｐの枚数が増えると、用紙自重により送りローラー１３にかかる荷重が大きくなり、送りローラー１３と後述する分離ローラー１４との間で用紙が分離されず、用紙が重送される虞がある。この用紙自重に起因する重送を抑制するため、媒体載置部材１１上にセット可能な用紙Ｐの枚数には上限（最大枚数）が設定されている。  
本実施例において、エッジガイド１２、１２には、載置面１１ａに載置される用紙Ｐの枚数を規制する枚数規制部材１５が設けられており、媒体載置部材１１上に上限より多い枚数の用紙Ｐが載置されることを回避する構成になっている。尚、枚数規制部材１５の構成については、後に更に詳細に説明する。
【００３４】
給送口６にセットされた複数枚の用紙Ｐは、媒体給送装置１０によって給送されて、後述する画像読取部２１に向けて送られる。本実施形態の媒体給送装置１０は、送りローラー１３と、送りローラー１３との間で用紙Ｐをニップして分離する分離ローラー１４を備えている。  
媒体載置部材１１に載置された用紙Ｐは、下部ユニット２に対して回転可能に設けられた送りローラー１３によりピックアップされて下流側（＋Ｙ方向側）に給送される。具体的には、用紙Ｐの載置面１１ａに対向する面に、送りローラー１３が接触しつつ回転することにより、用紙Ｐを下流側に向けて給送する。したがって、スキャナー１において複数枚の用紙Ｐを給送口６にセットした場合には、媒体載置部材１１の載置面１１ａ側の用紙Ｐから順に下流側に向けて給送される。  
尚、送りローラー１３は、用紙搬送面２９に対して一部が突出するように配置されている。
【００３５】
送りローラー１３の下流側には搬送ローラー対２０と、画像を読み取る「読取部」としての画像読取部２１と、排出ローラー対２２が設けられている。送りローラー１３及び分離ローラー１４によりニップされて下流側に給送された用紙Ｐは搬送ローラー対２０にニップされて、搬送ローラー対２０の下流側に位置する画像読取部２１に搬送される。
【００３６】
搬送ローラー対２０は下部ユニット２に設けられた搬送駆動ローラー２３と、上部ユニット３に設けられ、搬送駆動ローラー２３に対して従動回転する搬送従動ローラー２４を備えている。
【００３７】
画像読取部２１は、上部ユニット３側に設けられた上部画像読取センサー２５と、下部ユニット２側に設けられた下部画像読取センサー２６とを備えている。本実施形態において、上部画像読取センサー２５及び下部画像読取センサー２６は一例として密着型イメージセンサーモジュール（ＣＩＳＭ）として構成されている。
【００３８】
用紙Ｐは、画像読取部２１において用紙Ｐの表面及び裏面の少なくとも一方の面の画像を読み取られた後、画像読取部２１の下流側に位置する排出ローラー対２２にニップされて、下部ユニット２の装置前面側に設けられた排出口８から排出される。  
下部ユニット２には、排出口８から装置前面側に向けて引き出し可能に構成された排紙トレイ５が設けられている。排紙トレイ５は、下部ユニット２の底部に収納された状態（図１）と、装置前面側に引き出した状態（図３）とを取り得る。排紙トレイ５を引き出した状態において、排出口８から排出された用紙Ｐが排紙トレイ５上に積載される
【００３９】
また、本実施形態において排出ローラー対２２は下部ユニット２に設けられた排出駆動ローラー２７と、上部ユニット３に設けられ、排出駆動ローラー２７に対して従動回転する排出従動ローラー２８を備えている。  
尚、本実施形態において送りローラー１３、搬送駆動ローラー２３及び排出駆動ローラー２７は、下部ユニット２内に設けられた少なくとも１つの駆動源（不図示）により回転駆動させられる。
【００４０】
＜枚数規制部材について＞
続いて、図４〜図６を参照して、エッジガイド１２に設けられる枚数規制部材１５の構成について説明する。本実施例において、枚数規制部材１５は、両方のエッジガイド１２、１２に設けられている。ここでは、装置前面側から見て左側、すなわち−Ｘ側のエッジガイド１２を例に挙げて説明する。  
尚、他方側（＋Ｘ側）のエッジガイド１２は、Ｙ−Ｚ平面に対して対照となる形状に構成することができるので、その詳細な説明は省略する。
【００４１】
枚数規制部材１５（図４）は、媒体載置部材１１に載置可能な最大枚数の用紙（用紙束Ｇ）が載置された際に、最上位の用紙に接触する接触部１６（図５、図６も参照）を備えている。接触部１６は、載置面１１ａに対してほぼ平行な面を備えて形成されている。  
接触部１６によって載置面１１ａの上方が規制されるので、載置面１１ａに載置される用紙枚数が制限される。したがって、媒体載置部材１１に所定枚数を超える用紙Ｐが積載されることを抑制または回避することができる。尚、媒体載置部材１１に載置可能な最大枚数は、用紙Ｐの種類、より具体的には用紙Ｐの厚みにより変わる。
【００４２】
また、枚数規制部材１５（図４）の接触部１６の上流側には、接触部１６と載置面１１ａの間に用紙Ｐを誘う形状に形成された誘い部１８（図５、図６も参照）を備えている。より具体的には、誘い部１８は、上流側から下流側に向けて下る斜面に形成され、下流側が接触部１６の上流側に連なっている。  
接触部１６に連なる誘い部１８が設けられていることにより、接触部１６と載置面１１ａの間に用紙束Ｇをセットし易くなる。例えば、用紙に反りのある場合でも、誘い部１８に案内されて接触部１６と載置面１１ａの間に用紙束Ｇを容易に差し込むことができる。
【００４３】
更に枚数規制部材１５は、接触部１６から上部ユニット３（筐体７）に向けて、下流側が載置面１１ａから離れる方向に延設される延設部１７を備えている。言い換えると、延設部１７は、上流側から下流側に向けて上る斜面に形成されている。
【００４４】
接触部１６の下流側に設けられる延設部１７は、枚数規制部材１５と上部ユニット３の間の隙間３０を埋めるように設けられている。枚数規制部材１５と上部ユニット３の間の隙間３０が大きいと、例えば比較的小さいサイズの用紙Ｐ（例えばカードサイズや名刺サイズ）をユーザーが媒体載置部材１１にセットする場合に、枚数規制部材１５の下方、すなわち、接触部１６と載置面１１ａとの間に用紙Ｐを通さず、枚数規制部材１５の上側から隙間３０に用紙Ｐを差し込んでしまう場合がある。  
本実施例の枚数規制部材１５では、延設部１７によって隙間３０を小さくすることができ、接触部１６と載置面１１ａとの間を通さずに、枚数規制部材１５の上側から用紙Ｐが差し込まれる虞を低減することができる。
【００４５】
ここで、給送される用紙Ｐが送りローラー１３と分離ローラー１４にニップされると、用紙Ｐの後端側（ニップ部３１よりも上流側）が上方に跳ね上げられる場合がある。用紙Ｐの後端が枚数規制部材１５に接触すると、搬送負荷（バックテンション）が増大し、適切な搬送が行われない虞がある。  
本実施例では、延設部１７は、接触部１６から上部ユニット３に向けて、すなわち下流側に向けて載置面１１ａから離れる方向（上方）に延設されているので、給送される用紙Ｐの後端と延設部１７と接触する虞を減らし、搬送負荷の増大を抑制することができる。  
以上のように構成された枚数規制部材１５により、媒体載置部材１１への適切な用紙Ｐ（用紙束Ｇ）の積載と給送を実現することができる。
【００４６】
続いて、枚数規制部材１５における延設部１７について、更に説明する。  
延設部１７は、前述したように、枚数規制部材１５と上部ユニット３の間の隙間３０を埋めるように接触部１６から延びており、図４に示すように、送りローラー１３と分離ローラー１４のニップ部３１における接線３２と交差している。  
隙間３０は、ほとんど隙間が無いように構成することも可能であるが、本実施例のように媒体載置部材１１は開閉体４として回動させる場合には、隙間３０を完全に無くすことが困難な場合がある。  
このような場合に、少なくとも延設部１７と接線３２が交差していることにより、用紙Ｐが真っ直ぐ差し込まれて、用紙Ｐがニップ部３１においてニップされる虞を低減することができる。例えば剛性が高く、撓むことなく差し込まれる用紙Ｐが送りローラー１３と分離ローラー１４にニップされる虞を回避することができる。
【００４７】
加えて、本実施例において延設部１７は、例えばカードサイズ或いは名刺サイズのような剛性が所定以上の用紙Ｐ１の長辺方向の先端がニップ部３１でニップされた際に、後端が延設部１７に接触しない構成を有している。具体的には、前記カードサイズ或いは前記名刺サイズの用紙Ｐ１の場合には、ニップ部３１から接線３２と延設部１７との交点３３までの距離が、用紙Ｐ１の先端のニップ時に後端が延設部１７に接触しない距離に設定されていればよい。  
カードや名刺のような剛性の高い用紙Ｐ１は、その先端がニップ部３１でニップされると後端側が上方に跳ね上がり易く、その剛性の高さのため撓み難いので、上方に設けられた部材（枚数規制部材１５）に後端が接触し易いが、延設部１７がこのように構成されていることにより、後端が延設部１７に接触する虞が回避され、以って、カードサイズ或いは名刺サイズの給送時に生じ得るバックテンションの増大の虞を低減することができる。
【００４８】
また、本実施例において、剛性が所定以上であり、撓むことなくほぼ真っ直ぐに差し込まれるような用紙Ｐ１が隙間３０に挿入された場合には、図４に示すように、用紙Ｐ１の先端がニップ部３１よりも上流側において送りローラー１３に接触する角度で挿入され、送りローラー１３と分離ローラー１４は用紙Ｐ１の先端をニップしないようになっている。  
このことによって、カードサイズ或いは名刺サイズのような剛性が所定以上の用紙Ｐ１が枚数規制部材１５の上側から差し込まれる誤挿入がされた際に、用紙Ｐ１が給送される虞を回避することができる。
【００４９】
尚、延設部１７の下流側の先端には、曲げ部１７ａが設けられており、曲げ部１７ａが設けられずに先端が直線状に延設されている場合よりも、隙間３０から挿入された用紙Ｐ１が送りローラー１３に対して急な傾斜で接触するようになっている。すなわち、隙間３０から挿入された用紙Ｐ１が、より上流側で送りローラー１３に接触するようになっている。このことにより、隙間３０から挿入された用紙Ｐ１の先端がニップ部３１にニップされる虞を一層確実に回避することができる。
【００５０】
本実施例において、枚数規制部材１５としての接触部１６と延設部１７と誘い部１８は、エッジガイド１２に一体に形成されているが、エッジガイド１２に対して別個の枚数規制部材１５を取り付けるように構成することもできる。
【００５１】
また本実施例では、エッジガイド１２、１２が相対する方向に移動し、用紙Ｐが幅方向の中央に揃えられるセンター給紙方式の媒体給送装置１０について説明したが、一方のエッジガイドのみが移動するように構成された片寄せ給紙方式の媒体給送装置であってもよい。  
また、枚数規制部材１５は、両方のエッジガイド１２、１２に設けられていることが望ましいが、片側のエッジガイド１２のみに設ける構成とすることもできる。  
また、枚数規制部材１５において、誘い部１８を設けない構成とすることも可能である。
【００５２】
［実施例２］
実施例２では、図７に基づき、媒体給送装置における枚数規制部材の他の例について説明する。図７は、実施例２に係る媒体給送装置における枚数規制部材を示す概略側面図である。本実施例において実施例１と同一の構成については同一の符号を付し、その構成の説明は省略する。  
本実施例に係る枚数規制部材４０は、誘い部４３が変位可能に構成されている点が特徴である。
【００５３】
枚数規制部材４０は、媒体載置部材１１に載置可能な最大枚数の用紙が載置された際に、最上位の用紙に接触する接触部４１と、上部ユニット３（筐体７）に向けて、下流側が載置面１１ａから離れる方向に延設される延設部４２を備えている。接触部４１と延設部４２はエッジガイド１２に一体に形成されている。  
尚、接触部４１と延設部４２の機能は実施例１における接触部１６と延設部１７と同様であるので、その説明は省略する。
【００５４】
続いて、枚数規制部材４０の接触部４１の上流側に設けられる誘い部４３について説明する。誘い部４３は、回動軸４４を中心として回動し、符号Ａの実線で示す位置と、符号Ｂの一点鎖線で示す位置とに変位可能に構成されている。  
本実施例においては、回動軸４４にはねじりコイルバネ４５が設けられており、ねじりコイルバネ４５の付勢力に抗して、誘い部４３が位置Ａから位置Ｂに変位するようになっている。誘い部４３は、位置Ｂにおいて不図示の固定部材（例えば、スナップフィット等）により、固定されるようになっている。また、その固定を解除すると誘い部４３がねじりコイルバネ４５の付勢力により位置Ａに戻るようになっている。
【００５５】
例えば、媒体載置部材１１に用紙をセットする際には、誘い部４３を位置Ａにして接触部１６と載置面１１ａの間に用紙を誘う形状にすることにより、接触部４１と載置面１１ａの間に用紙をセットし易くできる。  
また、媒体載置部材１１への用紙のセット後は、誘い部４３を位置Ｂにして、接触部４１と同様の働きをする部材として機能させることができる。  
誘い部４３は、位置Ａと位置Ｂの２箇所の位置だけでなく、位置Ａと位置Ｂの間の任意の位置で止められるように構成することも可能である。
【００５６】
［実施例３］
実施例３では、図８に基づき、媒体給送装置における枚数規制部材の更に他の例について説明する。図８は、実施例３に係る媒体給送装置における枚数規制部材を示す概略側面図である。本実施例において実施例２と同一の構成については同一の符号を付し、その構成の説明は省略する。  
枚数規制部材５０は、接触部５１と延設部５２と誘い部５３によって構成されており、実施例２と同様に、誘い部５３が変位可能に構成されている。
【００５７】
実施例３では、誘い部５３は回動軸５４を中心として回動し、符号Ｃの実線で示す位置と、符号Ｄの一点鎖線で示す位置と、符号Ｅの二点鎖線で示す位置とに変位可能に構成されている。符号５５は、誘い部５３を変位可能に付勢するねじりコイルバネである。
【００５８】
本実施例においても、媒体載置部材１１に用紙をセットする際に、誘い部５３を位置Ｃにして接触部１６と載置面１１ａの間に用紙を誘う形状にすることにより、接触部５１と載置面１１ａの間に用紙をセットし易くできる。  
更に、特に反りの大きい用紙を媒体載置部材１１にセットしたい場合には、誘い部５３を位置Ｃより上方の位置Ｄに変位させることにより、前記反りの大きい用紙をセットし易くすることができる。
【００５９】
更に、誘い部５３を位置Ｅ側に変位させることにより、エッジガイド１２を用紙幅方向（Ｘ軸方向）に移動させる際に、手（指）で持つ部分を広くとることができる。このことにより、エッジガイド１２をユーザーが持ち易い状態とすることができる。  
本実施例における誘い部５３において、実施例２における誘い部４３の位置Ａに対応する位置にまで変位可能に構成することも勿論可能である。  
実施例２及び実施例３のように、誘い部４３、５３が変位可能に構成されていることにより、媒体載置部材１１にセットされる用紙の反りの状態やユーザーの好み等に応じて、誘い部４３、５３を変位させることができる。
【００６０】
［実施例４］
実施例４では、図９に基づき、媒体給送装置における枚数規制部材の更に他の例について説明する。図９は、実施例４に係る媒体給送装置における枚数規制部材を示す概略側面図である。  
実施例４の枚数規制部材６０は、接触部６１と延設部６２と誘い部６３によって構成されている。接触部６１と延設部６２と誘い部６３の役割は、実施例１における接触部１６と延設部１７と誘い部１８と同様であるので、その説明は省略する。
【００６１】
枚数規制部材６０は、接触部６１と延設部６２のそれぞれにおいて、用紙に接触して従動回転可能な補助ローラー６４、６５を備えている。  
接触部６１と延設部６２が補助ローラー６４、６５を備えていることにより、給送される用紙が接触部６１や延設部６２に接触した際のバックテンションを低減することができる。以って、バックテンションの増加によるノンフィード等の不具合の発生の虞を低減することができる。
【００６２】
尚、実施例４では、接触部６１と延設部６２の両方に補助ローラー６４、６５を設ける構成としたが、接触部６１と延設部６２のいずれか一方のみに対して補助ローラーが設けられる構成とすることもできる。
【００６３】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００６４】
１…スキャナー（画像読取装置）、２…下部ユニット、３…上部ユニット、
４…開閉体、５…排紙トレイ、６…給送口、７…筐体、
８…排出口、１０…媒体給送装置、１１…媒体載置部材、１１ａ…載置面、
１２…エッジガイド、１３…送りローラー、１４…分離ローラー、
１５…枚数規制部材、１６…接触部、１７…延設部、１８…誘い部、
２０…搬送ローラー対、２１…画像読取部（読取部）、２２…排出ローラー対、
２３…搬送駆動ローラー、２４…搬送従動ローラー、２５…上部画像読取センサー、
２６…下部画像読取センサー、２７…排出駆動ローラー、２８…排出従動ローラー、
２９…用紙搬送面、３０…隙間、３１…ニップ部、３２…接線、３３…交点、
４０…枚数規制部材、４１…接触部、４２…延設部、４３…誘い部、
４４…回動軸、４５…ねじりコイルバネ、５０…枚数規制部材、５１…接触部、
５２…延設部、５３…誘い部、５４…回動軸、５５…ねじりコイルバネ、
６０…枚数規制部材、６１…接触部、６２…延設部、６３…誘い部、
６４、６５…補助ローラー、Ｐ、Ｐ１…用紙
【図１】
0006746989.tif 000002
【図２】
0006746989.tif 000003
【図３】
0006746989.tif 000004
【図４】
0006746989.tif 000005
【図５】
0006746989.tif 000006
【図６】
0006746989.tif 000007
【図７】
0006746989.tif 000008
【図８】
0006746989.tif 000009
【図９】
0006746989.tif 000010